(57)【要約】【課題】ＵＳＢポートにより電力供給を行い、取得した情報を上記ＵＳＢポートを介して上記電力供給先へＵＳＢ通信により送信する。【解決手段】商用交流電源から交流電力を取り込んで直流電力に変換する電力処理部１１と、外部から情報を取得する情報取得部１２と、前記情報取得部１２により取得された信号を加工してＵＳＢ通信用の信号とする信号処理部１３と、前記信号処理部１３により加工された信号を受けてＵＳＢ通信により送信を行うＵＳＢ通信部１４と、前記電力処理部１１及び前記ＵＳＢ通信部１４に接続され、対向するデバイスとＵＳＢ接続するためのＵＳＢポート１５とを具備する。【選択図】図１
2015232988.tif 000002
【特許請求の範囲】
【請求項１】
商用交流電源から交流電力を取り込んで直流電力に変換する電力処理部と、
外部から情報を取得する情報取得部と、
前記情報取得部により取得された信号を加工してＵＳＢ通信用の信号とする信号処理部と、
前記信号処理部により加工された信号を受けてＵＳＢ通信により送信を行うＵＳＢ通信部と、
前記電力処理部及び前記ＵＳＢ通信部に接続され、対向するデバイスとＵＳＢ接続するためのＵＳＢポートと
を具備することを特徴とする電源アダプタ。
【請求項２】
商用交流電源のコンセントに接続し、前記電力処理部に交流電力を供給可能とする栓刃を備えていることを特徴とする請求項１に記載の電源アダプタ。
【請求項３】
情報処理部が、Bluetooth （登録商標）、赤外線通信、Ｗｉ−ＳＵＮ（登録商標）、ＰＬＣ（電力線搬送通信）、ＷｉＦｉ、３Ｇ、ＬＴＥ、Ｚｉｇｂｅｅ、ＥｎＯｃｅａｎ、超音波通信、ＮＦＣ(Near field communication）方式による通信の少なくとも一つにより通信を行って情報を取得することを特徴とする請求項１または２に記載の電源アダプタ。
【請求項４】
情報処理部が、マイク、カメラ、その他のセンサの少なくとも一つにより構成され、情報を取得することを特徴とする請求項１または２に記載の電源アダプタ。
【請求項５】
情報を表示する表示部を備える電気機器と、
前記電気機器にＨＤＭＩインタフェースにより接続されるとともに、請求項１乃至４のいずれか１項に記載の電源アダプタのＵＳＢポートに接続されて電源供給及びＵＳＢ通信による情報を受信して、前記ＨＤＭＩインタフェースを介して前記電気機器へ情報を送り表示部にて表示させる電子デバイスと、
請求項１乃至４のいずれか１項に記載の電源アダプタと
を具備することを特徴とする情報表示システム。
【発明の詳細な説明】
【技術分野】
【０００１】
この発明は、電源アダプタ及び情報表示システムに関するものである。
【背景技術】
【０００２】
特許文献１には、筐体内部に、通信制御部と電源回路部とが設けられ、電源供給部が商用交流を直流電圧に変換して上記通信制御部やＵＳＢハブに接続されるＵＳＢ機器に電源供するものが示されている。
【０００３】
しかしながら、このＵＳＢハブに接続されるＵＳＢ機器は、上記特許文献１の図３や図６に示されている通り、それぞれの機器がテーブルタップから電力を得ており、ＵＳＢポートによる電力供給と共にＵＳＢ機器に情報を送信するものではない。
【０００４】
更に、特許文献２には、ＵＳＢポートを介してホストに接続された携帯端末装置がＵＳＢ通信と共に電力供給を受けることが示されている。しかしながら、この引用文献２に開示されている構成は、ホストが存在することが前提となるものであって、電源アダプタからデバイスへＵＳＢ通信と共に電力供給を行うものではなかった。
【先行技術文献】
【特許文献】
【０００５】
【特許文献１】特開２００１−６９１６５号公報
【特許文献２】特開２０１０−２０４３９号公報
【発明の概要】
【発明が解決しようとする課題】
【０００６】
以上の通り、電源供給を行う従来の電源アダプタとしては、自装置のために電源を作り出し、またＵＳＢ通信の相手機器は、電源アダプタからではなく、独自にＡＣ電源に接続を行う必要があり、不便なものであった。
【０００７】
本発明は上記のような電源アダプタの現状に鑑みなされたもので、その目的は、ＵＳＢポートにより電力供給を行うと共に、取得した情報を上記ＵＳＢポートを介して上記電力供給先へＵＳＢ通信により送信することが可能な電源アダプタを提供することである。更に本発明は、上記電源アダプタを用いて、電源アダプタが取得した情報を表示することが可能な情報表示システムを提供することを目的とする。
【課題を解決するための手段】
【０００８】
本発明に係る電源アダプタは、商用交流電源から交流電力を取り込んで直流電力に変換する電力処理部と、外部から情報を取得する情報取得部と、前記情報取得部により取得された信号を加工してＵＳＢ通信用の信号とする信号処理部と、前記信号処理部により加工された信号を受けてＵＳＢ通信により送信を行うＵＳＢ通信部と、前記電力処理部及び前記ＵＳＢ通信部に接続され、対向するデバイスとＵＳＢ接続するためのＵＳＢポートとを具備することを特徴とする。
【０００９】
本発明に係る電源アダプタでは、商用交流電源のコンセントに接続し、前記電力処理部に交流電力を供給可能とする栓刃を備えていることを特徴とする。
【００１０】
本発明に係る電源アダプタでは、情報処理部が、Bluetooth （登録商標）、赤外線通信、Ｗｉ−ＳＵＮ（登録商標）、ＰＬＣ（電力線搬送通信）、ＷｉＦｉ、３Ｇ、ＬＴＥ、Ｚｉｇｂｅｅ、ＥｎＯｃｅａｎ、超音波通信、ＮＦＣ(Near field communication）方式による通信の少なくとも一つにより通信を行って情報を取得することを特徴とする。
【００１１】
本発明に係る電源アダプタでは、情報処理部が、マイク、カメラ、その他のセンサの少なくとも一つにより構成され、情報を取得することを特徴とする。
【００１２】
本発明に係る情報表示システムは、情報を表示する表示部を備える電気機器と、前記電気機器にＨＤＭＩインタフェースにより接続されるとともに、請求項１乃至４のいずれか１項に記載の電源アダプタのＵＳＢポートに接続されて電源供給及びＵＳＢ通信による情報を受信して、前記ＨＤＭＩインタフェースを介して前記電気機器へ情報を送り表示部にて表示させる電子デバイスと、請求項１乃至４のいずれか１項に記載の電源アダプタとを具備することを特徴とする。
【発明の効果】
【００１３】
本発明によれば、商用交流電源から交流電力を取り込んで直流電力に変換する電力処理部と、外部から情報を取得する情報取得部と、前記情報取得部により取得された信号を加工してＵＳＢ通信用の信号とする信号処理部と、前記信号処理部により加工された信号を受けてＵＳＢ通信により送信を行うＵＳＢ通信部と、前記電力処理部及び前記ＵＳＢ通信部に接続され、対向するデバイスとＵＳＢ接続するためのＵＳＢポートとを具備するので、ＵＳＢポートにより電力供給を行うと共に、取得した情報を上記ＵＳＢポートを介して上記電力供給先へＵＳＢ通信により送信することが可能である。
【図面の簡単な説明】
【００１４】
【図１】本発明に係る電源アダプタの実施形態の構成を示すブロック図。
【図２】本発明に係る電源アダプタの実施形態と通信するデバイスの構成を示すブロック図。
【図３】本発明に係る電源アダプタを用いて構成した情報表示システムの実施形態を示す構成図。
【発明を実施するための形態】
【００１５】
以下添付図面を参照して、本発明に係る電源アダプタ及び情報表示システムの実施形態を説明する。各図において同一の構成要素には、同一の符号を付して重複する説明を省略する。図１は、本発明に係る電源アダプタの実施形態を示すブロック図である。電源アダプタ１０には、電力処理部１１、情報取得部１２、信号処理部１３、ＵＳＢ通信部１４、ＵＳＢポート１５が備えられている。
【００１６】
電力処理部１１は、商用交流電源から交流電力を取り込んで直流電力に変換するものである。電力処理部１１には、栓刃１６が接続されている。栓刃１６は、図示しない商用交流電源のコンセントに接続し、電力処理部１１に交流電力を供給可能とする。情報取得部１２は、外部から情報を取得するものであり、Bluetooth （登録商標）、赤外線通信、Ｗｉ−ＳＵＮ（登録商標）、ＰＬＣ（電力線搬送通信）、ＷｉＦｉ、３Ｇ、ＬＴＥ、Ｚｉｇｂｅｅ、ＥｎＯｃｅａｎ、超音波通信、ＮＦＣ(Near field communication）方式による通信の少なくとも一つにより通信を行って情報を取得するものとすることができる。また、情報取得部１２は、マイク、カメラ、その他のセンサの少なくとも一つにより情報を取得するものとすることができる。
【００１７】
信号処理部１３は、情報取得部１２により取得された信号を加工してＵＳＢ通信用の信号とするものである。ＵＳＢ通信部１４は、上記信号処理部１３により加工された信号を受けてＵＳＢ通信により送信を行うものである。更にＵＳＢポート１５は、上記電力処理部１１及び上記ＵＳＢ通信部１４に接続され、対向するデバイスとＵＳＢ接続するものである。
【００１８】
上記の電源アダプタ１０により電源供給を受け、またＵＳＢ通信により情報を受け取る電子デバイスとして、図２に示すようなＨＤＭＩドングル２０を採用することができる。このＨＤＭＩドングル２０は、例えばテレビなどの電気機器に外付けされるセットトップボックスにより構成される。
【００１９】
ＨＤＭＩドングル２０は、テレビのＨＤＭＩ端子に接続され、映像データをテレビへ供給するものであ。ＨＤＭＩドングル２０は、プロセッサ２１に、ｅＭＭＣ（embedded Multi Media Card ）により構成することができる外部記憶装置２２１とＤＤＲ(Double-Data-Rate Synchronous Dynamic Random Access Memory) ３により構成することができる主記憶装置２２２とを有する記憶装置２２が接続されており、プロセッサ２１が記憶装置２２に記憶されたプログラムを用いて処理を行うコンピュータの構成を採用している。
【００２０】
プロセッサ２１には、通信インタフェース２３と、ＨＤＭＩインタフェース２４、ＰＭＩＣ（パワーマネージメントＩＣ）２５及びＵＳＢ通信部２６が接続されている。通信インタフェース２３は、Ｗｉ−Ｆｉ（登録商標）などによる無線ＬＡＮインタフェース及びBluetooth （登録商標）通信のためのインタフェースである。ＨＤＭＩインタフェース２４は、ＨＤＭＩケーブルによってテレビのＨＤＭＩ端子に接続される。
【００２１】
パワーマネージメントＩＣ２５は、ＵＳＢベースとＡＣアダプタ・ベースのどちらからもバッテリ充電が可能となっており、バッテリ充電と電力供給を行う。ここでは、パワーマネージメントＩＣ２５は、電源アダプタ１０のＵＳＢポート１５を介して電力処理部１１に接続され、電源供給を受ける。更にＵＳＢ通信部２６は、電源アダプタ１０のＵＳＢポート１５を介してＵＳＢ通信部１４に接続され、ＵＳＢ通信により情報を受け取ることができる。
【００２２】
以上の構成により電源アダプタ１０は、ＨＤＭＩドングル２０に対し電源供給できると共に、電源アダプタ１０が収集した情報をＨＤＭＩドングル２０へ送信することができる。ＨＤＭＩドングル２０は、受信した情報をＨＤＭＩインタフェース２４を介してテレビへ送って表示することができる。また、ＨＤＭＩドングル２０は、受信した情報に基づきＨＤＭＩドングル２０自身のモード（スリープモードなどの動作モード）の切換えを行うこともできる。
【００２３】
図３には、電源アダプタ１０とＨＤＭＩドングル２０とを用いて構成した情報表示システムが示されている。ＨＤＭＩドングル２０は、情報を表示する表示部を備える電気機器としてのテレビ３０とＨＤＭＩインタフェース２４により接続されている。
【００２４】
情報取得部１２が、Ｗｉ−ＳＵＮによる通信によりスマートメータ４０と通信を行う。スマートメータ４０からは、例えば所定時間単位の当該家庭６０の全体電力使用量、部屋毎電力使用量、所定時間単位の電気料金の予定料金などが送られてくる。情報取得部１２は、上記情報を受け取り、信号処理部１３へ送る。
【００２５】
信号処理部１３は、情報取得部１２により取得された信号を加工してＵＳＢ通信用の信号としてＵＳＢ通信部１４へ送る。ＵＳＢ通信部１４は、この情報をＵＳＢポート１５を介してＨＤＭＩドングル２０へ送信する。また、電力処理部１１による電力もＵＳＢポート１５を介してＨＤＭＩドングル２０へ送られる。
【００２６】
ＨＤＭＩドングル２０は、当該家庭６０の全体電力使用量、部屋毎電力使用量、所定時間単位の電気料金の予定料金などをテレビ３０の表示部に表示する。これを受けて、ユーザは次の所定時間において電力料金を安く抑えるために、いずれの電気機器の電源をオフにすれば良いかなどを知って、節電を行うことが可能である。
【符号の説明】
【００２７】
１０  電源アダプタ
１１  電力処理部
１２  情報取得部
１３  信号処理部
１４  ＵＳＢ通信部
１５  ＵＳＢポート
１６  栓刃
２０  ドングル
２１  プロセッサ
２２  記憶装置
２３  通信インタフェース
２４  ＨＭＤＩインタフェース
２５  パワーマネージメントＩＣ
２６  ＵＳＢ通信部
３０  テレビ
４０  スマートメータ
６０  家庭
【図１】
2015232988.tif 000003
【図２】
2015232988.tif 000004
【図３】
2015232988.tif 000005